(57)【要約】      （修正有）【課題】置台にセットされた際に特定の処理を実行することができる表示装置、表示制御方法および表示制御プログラムを提供する。【解決手段】表示装置を置台にセットして充電や保管を行う際、表示装置の制御部３５は、表示装置の表面側および背面側に設けられた置台の導電物と接触するタッチパネル３２により、タッチ操作では形成困難な特定のマークが検出された場合、当該特定のマークに予め割り当てられた特定の処理を実行する。【選択図】図７
2015002478.tif 000002
【特許請求の範囲】
【請求項１】
接触部分の形状を検出可能な検出部と、
タッチ操作では形成困難な特定のマークが前記検出部により検出された場合、当該特定のマークに予め割り当てられた特定の処理を実行する処理部と、
を有することを特徴とする表示装置。
【請求項２】
タッチ操作が可能な画面を表示する表示部をさらに有し、
前記検出部は、前記表示部に対する接触操作を検出し、
前記処理部は、前記特定の処理として、前記表示部に表示される画面の画面構成の変更、充電制御の何れか一方または両方を行うことを特徴とする請求項１に記載の表示装置。
【請求項３】
前記処理部は、前記特定のマークが前記検出部により検出された状態で、当該特定のマークとは異なる所定のマークが前記検出部により検出された場合、当該所定のマークに予め割り当てられた所定の処理を実行する
ことを特徴とする請求項１または２に記載の表示装置。
【請求項４】
前記処理部は、前記所定の処理として、ハードウェアキーまたはソフトウェアキーの処理を実行することを特徴とする請求項３に記載の表示装置。
【請求項５】
前記処理部は、表示装置が置台にセットされた場合に、外部からのタッチ操作が不能となる所定の領域において前記特定のマークが検出された場合、前記特定の処理を実行する
ことを特徴とする請求項１〜４の何れか１つに記載の表示装置。
【請求項６】
コンピュータが、
接触部分の形状を検出可能な検出部により、タッチ操作では形成困難な特定のマークが検出された場合、当該特定のマークに予め割り当てられた特定の処理を実行する
ことを特徴とする表示制御方法。
【請求項７】
コンピュータに、
接触部分の形状を検出可能な検出部により、タッチ操作では形成困難な特定のマークが検出された場合、当該特定のマークに予め割り当てられた特定の処理を実行させる
ことを特徴とする表示制御プログラム。
【発明の詳細な説明】
【技術分野】
【０００１】
本発明は、表示装置、表示制御方法および表示制御プログラムに関する。
【背景技術】
【０００２】
従来より、タッチパネルを備え、タッチ操作が可能な表示装置がある。このような表示装置としては、例えば、スマートフォンやタブレット端末などが挙げられる。このスマートフォンやタブレット端末などの表示装置は、狭額縁化が進み、表示領域が設けられた表示面に占めるタッチパネルの面積が増大して、タッチパネル以外の額縁部が小さくなっている。
【０００３】
ところで、表示装置には、クレードルなどの置台にセットして充電や保管が行われるものがある。このスマートフォンなどの表示装置が置台にセットされたことを検出する技術として、次のような技術が知られている。例えば、置台およびスマートフォンに充電用端子が設けられている場合、充電端子同士の接続を検出する技術がある。また、スマートフォン側に置台にセットされたことを検出する機械的なスイッチを設けてスイッチの状態の変化からスマートフォンが置台にセットされたことを検出する技術がある。また、置台側に磁石を設け、スマートフォン側に磁気センサを設けて、磁気センサで検出される磁力の変化からスマートフォンが置台にセットされたことを検出する技術がある。
【先行技術文献】
【特許文献】
【０００４】
【特許文献１】特開２０１２−４４７８３号公報
【発明の概要】
【発明が解決しようとする課題】
【０００５】
しかしながら、充電端子同士の接続を検出する技術では、充電端子という電極を使用するため、端子の接触不良が発生した場合、置台にセットされたことを検出できない。また、スイッチの状態の変化を検出する技術や、磁力の変化を検出する技術では、スイッチや磁気センサなどの部品を表示装置内部に設けなければならない。
【０００６】
一側面では、置台にセットされた際に特定の処理を実行することができる表示装置、表示制御方法および表示制御プログラムを提供することを目的とする。
【課題を解決するための手段】
【０００７】
本発明の一側面によれば、表示装置は、検出部と、処理部とを有する。検出部は、接触部分の形状を検出する。処理部は、タッチ操作では形成困難な特定のマークが前記検出部により検出された場合、当該特定のマークに予め割り当てられた特定の処理を実行する。
【発明の効果】
【０００８】
本発明の一側面によれば、置台にセットされた際に特定の処理を実行することができる。
【図面の簡単な説明】
【０００９】
【図１】図１は、実施例１に係る表示装置および置台の一例を示す図である。
【図２】図２は、表示装置を置台にセットした状態の一例を示す図である。
【図３】図３は、実施例１に係る置台のｙ方向の内部構成を示す断面図である。
【図４】図４は、実施例１に係る置台のｘ方向の内部構成を示す断面図である。
【図５】図５は、人の指により反応が検出される領域の一例を示す図である。
【図６】図６は、導電物２２により反応が検出される領域の一例を示す図である。
【図７】図７は、実施例１に係る表示装置の機能的な構成の一例を示す図である。
【図８】図８は、メニュー画面の画面構成の一例を示す図である。
【図９】図９は、実施例１に係る制御処理の手順の一例を示すフローチャートである。
【図１０】図１０は、実施例２に係る置台のｙ方向の内部構成を示す断面図である。
【図１１】図１１は、導電物２５に関する電気的な構成を示す回路図である。
【図１２】図１２は、実施例２に係る制御処理の手順の一例を示すフローチャートである。
【図１３】図１３は、実施例３に係る置台のｘ方向の内部構成を示す断面図である。
【図１４】図１４は、表示制御プログラムを実行するコンピュータを示す図である。
【発明を実施するための形態】
【００１０】
以下に、本発明にかかる表示装置、表示制御方法および表示制御プログラムの実施例を図面に基づいて詳細に説明する。なお、この実施例によりこの発明が限定されるものではない。そして、各実施例は、処理内容を矛盾させない範囲で適宜組み合わせることが可能である。
【実施例１】
【００１１】
［全体構成］
実施例１に係る表示装置１０および置台２０の全体構成について説明する。図１は、実施例１に係る表示装置および置台の一例を示す図である。表示装置１０は、タッチパネルを備え、タッチ操作が可能な機器である。置台２０は、例えば、クレードルなどの表示装置１０の充電や保管を行うための機器である。表示装置１０としては、例えば、スマートフォン、タブレット端末、ＰＤＡ（Personal  Digital  Assistants）などの携帯端末が挙げられる。本実施例では、表示装置１０をスマートフォンとした場合を例にして説明する。
【００１２】
図１に示すように、表示装置１０は、外形が矩形の平板状に形成されている。表示装置１０は、平板状の一方の面が液晶パネルや有機ＥＬ（electroluminescence）パネルなどの表示部による表示領域１１が設けられた表示面１２とされている。また、表示装置１０は、表示面１２の表示領域１１に対応する領域にタッチパネルが設けられて、表示領域１１に対する接触操作を検出可能とされている。また、表示装置１０は、表示面１２に物理的なボタン１３が設けられ、ボタン１３による操作が可能とされている。図１の例では、表示面１２の表示領域１１の上部に１つのボタン１３Ａが設けられ、表示面１２の表示領域１１の下部に３つのボタン１３Ｂ、１３Ｃ、１３Ｄが並んで設けられている。
【００１３】
表示装置１０は、置台２０にセットして充電や保管が行われる。図２は、表示装置を置台にセットした状態の一例を示す図である。なお、以下では、図２に示すように、置台２０に表示装置１０をセットした状態において、水平面内の表示装置１０の厚さに対応する方向をｘ方向とし、表示装置１０の幅に対応する方向をｙ方向とする。置台２０は、幅および厚さが共に表示装置１０よりも大きく形成されている。置台２０は、表示装置１０の長手方向の端部を収容可能な収容部２１が上面に形成されている。収容部２１は、収容した表示装置１０を確実に保持するため、表示装置１０の端部を覆うように形成されている。表示装置１０は、狭額縁化により表示面１２での表示領域１１の占める割合が大きくされている。この結果、表示装置１０は、置台２０にセットした際、表示領域１１の一部分が置台２０によって覆われる。
【００１４】
［置台の構成］
次に、実施例１に係る置台２０の詳細な構成について説明する。図３は、実施例１に係る置台のｙ方向の内部構成を示す断面図である。図４は、実施例１に係る置台のｘ方向の内部構成を示す断面図である。なお、図３および図４の例は、置台２０に表示装置１０をセットした状態での断面の構成を示している。
【００１５】
置台２０は、上面側が開口とされた収容部２１が形成され、収容部２１に表示装置１０を収容可能とされている。この収容部２１には、表示装置１０をセットした際の表示面１２側の側面の表示領域１１に対応する位置に、表示領域１１と接触するように導電物２２が設けられている。また、置台２０は、内部の電気的にグランドに近い個所に導電物２３を設ける。図３および図４の例では、表示装置１０をセットした際の背面側に導電物２３が設けられている。この導電物２２と導電物２３とは、配線２４により接続されて電気的に導通されている。この導電物２２、２３などの導電物の材料は、導電性および弾性を有すれば何れでもよく、例えば、導電性ゴムや導電性樹脂などが挙げられる。
【００１６】
導電物２２は、表示装置１０と接触する接触面に、タッチ操作では形成困難な特定のマークが形成されている。導電物２２は、収容部２１に表示装置１０がセットされた場合、表示装置１０の表示領域１１に接触する。導電物２３は、導電物２２が表示領域１１に接触した場合に、人の指先が接触した場合と同様の反応を生じさせるために設けられている。導電物２３は、導電物２２の静電容量が人の指先の静電容量と同等となるようなサイズに形成されている。このように形成された導電物２３を、配線２４を介して導電物２２に接続することにより、導電物２２は、表示装置１０のタッチパネルに、人の指先が接触した場合と同様の反応を生じさせることができる。
【００１７】
ここで、表示装置１０にタッチ操作および導電物２２を接触させ際の反応について説明する。図５は、人の指により反応が検出される領域の一例を示す図である。図６は、導電物２２により反応が検出される領域の一例を示す図である。
【００１８】
表示装置１０の表示領域１１に人の指を接触させた場合、表示装置１０では、図５に示すように、円形の領域６０で反応が検出される。
【００１９】
一方、導電物２２が表示装置１０の表示領域１１に接触した場合、表示装置１０では、特定のマークの領域について接触した反応が検出される。例えば、表示装置１０は、図６に示す「凸」形状のマーク６１や「Ｃ」形状のマーク６２の領域で反応が検出される。このマーク６１やマーク６２は、人の指により反応が検出される範囲とは大きさも異なり、また、人の指では形成できない形状を含むため、タッチ操作では形成困難である。なお、マーク６１、６２は、タッチ操作では形成困難なマークの一例であり、タッチ操作により形成できない形状であればどのような形状であってもよい。また、図６の例では、タッチ操作では形成困難なマークとして２つのマーク６１、６２の例を示したが、表示装置１０で検出されるマークは、何れか１つでよい。
【００２０】
［表示装置の構成］
次に、表示装置１０の構成について説明する。図７は、実施例１に係る表示装置の機能的な構成の一例を示す図である。図７に示すように、表示装置１０は、通信Ｉ／Ｆ（インタフェース）部３０と、表示部３１と、タッチパネル３２と、入力部３３と、記憶部３４と、制御部３５とを有する。なお、表示装置１０は、図７に示した機能部以外に各種の機能部を有してもよい。例えば、表示装置１０は、カメラ、アンテナ、キャリア網を介して通信を行うキャリア通信部、ＧＰＳ（Global  Positioning  System）受信機などを有することとしてもかまわない。
【００２１】
通信Ｉ／Ｆ部３０は、他の装置との間で通信制御を行うインタフェースである。通信Ｉ／Ｆ部３０は、不図示のネットワークを介して他の装置と各種情報を送受信する。かかる通信Ｉ／Ｆ部３０の一態様としては、ＬＡＮカードなどのネットワークインタフェースカードを採用できる。
【００２２】
表示部３１は、各種情報を表示する表示デバイスである。表示部３１としては、液晶パネルや有機ＥＬパネルなどの表示デバイスが挙げられる。表示部３１は、各種情報を表示する。例えば、表示部３１は、タッチ操作のための各種のメニュー画面などの各種の画面を表示する。
【００２３】
タッチパネル３２は、接触を検出する検出デバイスである。例えば、タッチパネル３２としては、表示部３１上に設けられた透過型のタッチセンサなどが挙げられる。タッチパネル３２は、表示部３１に対して接触が行われた場合、接触部分の位置および範囲を検出する。例えば、表示部３１に対してタッチ操作が行われた場合、タッチパネル３２では、図５に示すように、円形の領域６０が検出される。また、表示部３１に対して導電物２２が接触した場合、タッチパネル３２では、図６に示すように、マークが検出される。タッチパネル３２による接触の検出方式は、例えば、抵抗膜方式や静電容量方式など何れの方式でもよい。例えば、透過型の静電容量方式は、接触による静電容量の変化を電圧波形として検出するため、電圧波形の形状等から接触したものを判別できる。このため、本実施例に係る置台２０では、導電物２２が接触した際にタッチパネル３２に人の指先が接触した場合と同様の静電容量の変化が生じるように、導電物２２に配線２４を介して導電物２３を接続している。なお、図７の例では、機能的な構成を示したため、表示部３１とタッチパネル３２を別に分けているが、例えば、表示部３１とタッチパネル３２を一体的に設けたデバイスで構成してもよい。タッチパネル３２は、接触部分の位置および範囲を示す接触情報を制御部３５へ出力する。
【００２４】
入力部３３は、各種の情報を入力する入力デバイスである。例えば、入力部３３としては、表示装置１０に設けられた各種のボタンなどの入力デバイスが挙げられる。なお、入力部３３は、キーボード、マウス、などであってもよい。入力部３３は、ユーザからの操作入力を受け付け、受け付けた操作内容を示す操作情報を制御部３５へ出力する。
【００２５】
記憶部３４は、ハードディスク、ＳＳＤ（Solid  State  Drive）、光ディスクなどの記憶装置である。なお、記憶部３４は、ＲＡＭ（Random  Access  Memory）、フラッシュメモリ、ＮＶＳＲＡＭ（Non  Volatile  Static  Random  Access  Memory）などのデータを書き換え可能な半導体メモリであってもよい。
【００２６】
記憶部３４は、制御部３５で実行されるＯＳ（Operating  System）や各種プログラムを記憶する。さらに、記憶部３４は、制御部３５で実行されるプログラムで用いられる各種データを記憶する。
【００２７】
制御部３５は、表示装置１０を制御するデバイスである。制御部３５としては、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。制御部３５は、各種の処理手順を規定したプログラムや制御データを格納するための内部メモリを有し、これらによって種々の処理を実行する。制御部３５は、各種のプログラムが動作することにより各種の処理部として機能する。例えば、制御部３５は、表示制御部４０と、充電制御部４１とを有する。
【００２８】
表示制御部４０は、表示部３１への画像の表示を制御する。例えば、表示制御部４０は、タッチ操作のための各種のメニュー画面を表示させる。
【００２９】
図８は、メニュー画面の画面構成の一例を示す図である。図８は、表示装置１０の表示領域１１にメニュー画面８０を表示させた一例を示している。メニュー画面８０には、複数のアイコン８１が表示されている。図８の例では、メニュー画面８０に４×３個のアイコン８１が表示されている。表示装置１０は、このアイコン８１に対してタッチ操作が行われることにより、アイコン８１に対応した処理を実行する。
【００３０】
ところで、表示装置１０は、置台２０にセットした際、表示領域１１の一部分が置台２０によって覆われ、覆われた一部分に対する操作が不能となる。例えば、図８の例では、メニュー画面８０の破線８２から下の領域は、置台２０によって覆われてタッチ操作ができない操作不能領域８３となる。一方、メニュー画面８０の破線８２より上の領域は、タッチ操作が可能な操作可能領域８４となる。
【００３１】
そこで、表示制御部４０は、タッチパネル３２により特定のマークが検出された場合、表示部３１に表示される画面の画面構成を変更する。例えば、表示制御部４０は、操作不能領域８３に配置されたアイコン８１の操作が可能なようにメニュー画面の画面構成を変更する。一例として、表示制御部４０は、図８の下側に示すように、メニュー画面８０の操作可能領域８４にスクロールバー８５を設けて、スクロールバー８５により操作不能領域８３のアイコン８１についても操作可能領域８４に移動できるように画面構成を変更する。なお、図８に示した画面構成の変更は、一例であり、これに限定されるものではない。例えば、表示制御部４０は、操作可能領域８４において全てのアイコン８１の操作が行えるように、メニュー画面８０の縮小や、複数のページに分けるなどの画面構成の変更を行ってもよい。
【００３２】
充電制御部４１は、表示装置１０に設けられた不図示のバッテリへの充電を制御する。例えば、表示制御部４０は、タッチパネル３２により特定のマークが検出された場合、バッテリへの充電を開始する。なお、電力は、置台２０と表示装置１０の充電端子同士を接続させて有線により供給されてもよい。また、電力は、置台２０と表示装置１０にコイルを設けた電磁誘導方式などの非接触給電であってもよい。
【００３３】
このように、本実施例に係る置台２０は、収容部２１に表示装置１０がセットされた場合、表示領域１１に導電物２２を接触させ、表示装置１０にタッチ操作では形成困難な特定のマークを検出させることで、置台２０にセットされたことを表示装置１０に通知する。
【００３４】
本実施例に係る表示装置１０は、タッチ操作では形成困難な特定のマークが検出された場合、特定の処理を実行する。これにより、収容部２１に表示装置１０をセットすることにより、表示装置１０に、特定の処理を行わせることができる。
【００３５】
また、一般的に、タッチパネルを備えた表示装置１０は、タッチ操作を検出するため、動作中、常時、タッチパネル３２を動作させる。このため、本実施例に係る表示装置１０は、特定のマークの検出を常時行っても消費電力が大きく増加しない。また、本実施例に係る表示装置１０は、タッチ操作を検出するためのタッチパネル３２を利用するため、新たな部品を追加しなくても収容部２１にセットされたことを検出できる。また、本実施例に係る表示装置１０は、収容部２１にセットされたことを充電端子などの電極により検出するわけではないため、端子の接触不良が発生した場合でも収容部２１にセットされたことを検出できる。
【００３６】
また、例えば、非接触給電では、いつ充電が行われるか特定できないため、一般的に、充電のための回路を常時動作させる。一方、本実施例に係る表示装置１０は、タッチパネル３２により特定のマークが検出された場合、バッテリへの充電を開始することにより、充電のための回路を常時動作させなくてもよいため、消費電力を抑制できる。
【００３７】
［処理の流れ］
次に、本実施例に係る表示装置１０が、タッチパネル３２により特定のマークが検出された際の表示制御を含む制御処理の流れについて説明する。図９は、実施例１に係る制御処理の手順の一例を示すフローチャートである。この制御処理は、例えば、タッチパネル３２において接触が検出されたタイミングで実行される。
【００３８】
図９に示すように、表示制御部４０は、タッチパネル３２により特定のマークが検出されたか否かを判定する（Ｓ１０）。例えば、表示装置１０では、特定のマークを示すパターンデータを記憶部３４に記憶する。表示制御部４０は、タッチパネル３２により接触が検出された領域とパターンデータにより示される特定のマークとの類似度合いを判定し、類似度が所定のしきい値以上である場合、特定のマークが検出されたと判定する。なお、特定のマークを検出可能であれば、パターンデータは、記憶されていなくてもよい。また、表示制御部４０は、接触が検出された領域の形状と共に、接触が検出された領域が所定時間以上変化していないか判定し、所定時間以上変化していない場合に特定のマークが検出されたと判定してもよい。この所定時間は、例えば、数秒から数十秒程度とする。このように、マークが検出される時間まで判定することにより、表示制御部４０は、表示装置１０が置台２０にセットされたことをより精度良く判定することができる。
【００３９】
特定のマークが検出されていない場合（Ｓ１０否定）、接触位置に対するタッチ操作として、従来と同様に、タッチ操作された位置に応じたタッチ操作処理を実行し（Ｓ１１）、処理を終了する。
【００４０】
一方、特定のマークが検出された場合（Ｓ１０肯定）、制御部３５は、特定のマークに予め割り当てられた特定の処理を実行する（Ｓ１２）。例えば、表示制御部４０は、操作不能領域８３に配置されたアイコン８１の操作が可能なようにメニュー画面８０の画面構成を変更する。また、充電制御部４１は、バッテリへの充電を開始する。
【００４１】
表示制御部４０は、タッチパネル３２により特定のマークが検出されなくなったか否かを判定する（Ｓ１３）。特定のマークが検出されている場合（Ｓ１３否定）、制御部３５は、Ｓ１２へ移行して上述のＳ１２の処理を継続する。
【００４２】
一方、表示制御部４０は、タッチパネル３２により特定のマークが検出されなくなった場合（Ｓ１３肯定）、制御部３５は、特定の処理を終了し（Ｓ１４）、処理を終了する。例えば、表示制御部４０は、メニュー画面を通常の画面構成に戻す。また、表示制御部４０は、バッテリへの充電を停止する。これにより、表示装置１０が置台２０から外された場合、表示装置１０は、置台２０にセットした前の通常のメニュー画面に戻る。
【００４３】
［効果］
上述してきたように、本実施例に係る表示装置１０は、タッチパネル３２により、タッチ操作では形成困難な特定のマークが検出された場合、当該特定のマークに予め割り当てられた特定の処理を実行する。これにより、表示装置１０は、置台２０にセットされた際に特定の処理を実行することができる。また、表示装置１０は、タッチパネル３２で特定のマークを検出するため、スマートフォン、タブレット端末、ＰＤＡなどではハードウェアを追加しなくてもよく、ソフトウェアの改修のみで対応できる。このため、例えば、既存のスマートフォン、タブレット端末、ＰＤＡでもソフトウェアの改修により対応させることができる。
【００４４】
また、本実施例に係る表示装置１０は、特定の処理として、表示部３１に表示される画面の画面構成の変更を行う。これにより、表示装置１０は、操作不能領域８３のアイコン８１についても操作が行えるようにすることができる。また、本実施例に係る表示装置１０は、特定の処理として、充電制御の何れかを行う。これにより、表示装置１０は、置台２０にセットされた際に充電を行うことができる。
【実施例２】
【００４５】
次に、実施例２について説明する。
【００４６】
［置台の構成］
実施例２に係る置台２０の詳細な構成について説明する。図１０は、実施例２に係る置台のｙ方向の内部構成を示す断面図である。実施例２に係る置台２０の構成は、図３に示した実施例１に係る置台２０と略同一であるため、同一部分については同一の符号を付し、主に異なる部分について説明する。図１０に示すように、置台２０の収容部２１には、表示装置１０をセットした際の表示面１２側の側面の表示領域１１に対応する位置に、導電物２２と並んで導電物２５がさらに設けられている。導電物２５は、表示装置１０をセットした際に、表示領域１１と接触するように設けられている。導電物２５は、表示装置１０と接触する接触面に、導電物２２に形成された特定のマークとは異なる所定のマークが形成されている。この所定のマークは、特定のマークと同様にタッチ操作では形成困難な形状であってもよい。例えば、所定のマークは、図６のマーク６１、６２のような形状であってもよい。また、所定のマークは、タッチ操作で形成可能な形状であってもよい。例えば、所定のマークは、図５の領域６０のような形状であってもよい。
【００４７】
導電物２５は、導電物２３と配線２６により接続されている。この配線２６には、スイッチ２７が設けられている。図１１は、導電物２５に関する電気的な構成を示す回路図である。図１１に示すように、導電物２５は、スイッチ２７のオン、オフにより導電物２３と電気的に導通状態、非導通状態に切替え可能とされている。
【００４８】
スイッチ２７は、置台２０の表面に露出しており、ユーザがオン、オフを切替えることが可能とされている。表示装置１０は、スイッチ２７がオン状態とされて導電物２５と導電物２３とが電気的に導通状態になると、タッチパネル３２の導電物２５の接触部分において所定のマークが検出される。
【００４９】
本実施例に係る置台２０は、スイッチ２７を、表示装置１０に設けられた何れかのボタン１３として機能させる。例えば、置台２０は、スイッチ２７を、置台２０にセットされた際に操作不能となるボタン１３Ｂ、１３Ｃ、１３Ｄの何れかとして機能させる。なお、本実施例では、説明を簡易化するため、導電物２５は、スイッチ２７、配線２６を１つずつ設けた場合について説明するが、複数のボタンに対応して複数設けてもよい。この場合、所定のマークは、導電物２５毎に異なるものとする。
【００５０】
置台２０は、収容部２１に表示装置１０がセットされた場合、表示領域１１に導電物２２を接触させて、表示装置１０にタッチ操作では形成困難な特定のマークを検出させる。そして、置台２０は、スイッチ２７がオン状態とされた場合、導電物２５と導電物２３とを電気的に導通状態として、表示装置１０に所定のマークを検出させる。
【００５１】
本実施例に係る表示装置１０は、特定のマークが検出された状態で、所定のマークが検出された場合、当該所定のマークに予め割り当てられた所定の処理を実行する。例えば、表示装置１０は、所定のマークが検出された場合、表示装置１０に設けられた何れかのボタン１３が操作された処理を実行する。
【００５２】
次に、表示装置１０の構成について説明する。実施例２に係る表示装置１０の構成は、上述の実施例１の構成とほぼ同様であるため、主に異なる部分について説明する。
【００５３】
制御部３５は、特定のマークが検出された状態で、当該特定のマークとは異なる所定のマークが検出された場合、当該所定のマークに予め割り当てられた所定の処理を実行する。例えば、表示制御部４０は、表示部３１に表示される画面に、ボタン１３が操作された動作を実行させる。
【００５４】
これにより、本実施例に係る表示装置１０は、置台２０にセットされてボタン１３を操作ができない状態の場合でも、ユーザにボタン１３を操作させることができる。
【００５５】
［処理の流れ］
図１２は、実施例２に係る制御処理の手順の一例を示すフローチャートである。実施例２に係る制御処理は、図９に示した実施例１に係る制御処理と略同一であるため、同一部分については同一の符号を付し、主に異なる部分について説明する。
【００５６】
図１２に示すように、表示制御部４０は、タッチパネル３２により所定のマークが検出されたか否かを判定する（Ｓ１５）。例えば、表示装置１０では、所定のマークを示すパターンデータを記憶部３４に記憶する。表示制御部４０は、タッチパネル３２により接触が検出された領域とパターンデータにより示される所定のマークとの類似度合いを判定し、類似度が所定のしきい値以上である場合、所定のマークが検出されたと判定する。なお、所定のマークを検出可能であれば、パターンデータは、記憶されていなくてもよい。
【００５７】
所定のマークが検出されていない場合（Ｓ１５否定）、後述するＳ１７へ移行する。
【００５８】
一方、所定のマークが検出された場合（Ｓ１５肯定）、制御部３５は、所定のマークに予め割り当てられた所定の処理を実行する（Ｓ１６）。例えば、表示制御部４０は、ボタン１３が操作されたものとして画面制御を行う。
【００５９】
表示制御部４０は、タッチパネル３２により特定のマークが検出されなくなったか否かを判定する（Ｓ１７）。特定のマークが検出されている場合（Ｓ１７否定）、制御部３５は、Ｓ１５へ移行して処理を継続する。
【００６０】
一方、表示制御部４０は、タッチパネル３２により特定のマークが検出されなくなった場合（Ｓ１７肯定）、制御部３５は、特定の処理を終了し（Ｓ１４）、処理を終了する。
【００６１】
このように、本実施例に係る表示装置１０は、特定のマークが検出された状態で、当該特定のマークとは異なる所定のマークが検出された場合、当該所定のマークに予め割り当てられた所定の処理を実行する。これにより、表示装置１０を置台２０にセットされた際にタッチパネルに所定のマークを検出させることで、表示装置１０に所定の処理を実行させることができる。
【００６２】
また、本実施例に係る表示装置１０は、所定のマークが前記検出部により検出された場合、ボタン１３が操作されたものとして処理を実行する。これにより、表示装置１０は、置台２０にセットされてボタン１３を操作できない状態の場合でも、ユーザにボタン１３を操作させることができる。
【実施例３】
【００６３】
さて、これまで開示の装置に関する実施例について説明したが、開示の技術は上述した実施例以外にも、種々の異なる形態にて実施されてよいものである。そこで、以下では、本発明に含まれる他の実施例を説明する。
【００６４】
例えば、上記の実施例では、特定の処理を、画面構成の変更、充電制御とし、所定の処理を、ボタン１３への操作処理とした場合について説明したが、開示の装置はこれに限定されない。特定の処理および所定の処理は、何れの処理であってもよい。
【００６５】
また、上記の実施例では、タッチパネル３２により表示面１２の表示領域１１全体から特定のマークを検出する場合について説明したが、開示の装置はこれに限定されない。例えば、置台２０によって覆われてタッチ操作ができない操作不能領域８３の範囲が定まっている場合、タッチパネル３２により操作不能領域８３内から特定のマークを検出するようにしてもよい。
【００６６】
また、例えば、置台２０が複数種類あり、充電方式、操作不能領域８３の範囲が異なる場合、置台２０は、種類毎に特定のマークの形状を変えてもよい。また、置台２０は、特定のマークと共に、充電方式、操作不能領域８３の範囲を示したマークが形成された導電物を接触させるものとしてもよい。表示装置１０は、タッチパネル３２により検出されるマークから置台２０の種類を特定し、特定した種類の置台２０に対応した充電方式の充電や、画面構成の変更を行うものとしてもよい。
【００６７】
また、上記の実施例２では、スイッチ２７をボタン１３などのハードウェアキーとして動作させる場合について説明したが、スイッチ２７を画面に表示されたソフトウェアキーとして動作させてもよい。
【００６８】
また、上記の実施例では、置台２０に表示装置１０がセットされると、タッチパネル３２により特定のマークを検出させる場合について説明したが、開示の装置はこれに限定されない。例えば、特定のマークについてもユーザの操作で検出させてもよい。図１３は、実施例３に係る置台のｘ方向の内部構成を示す断面図である。図１３に示すように、置台２０は、導電物２２と導電物２３とを接続する配線２４にスイッチ２８が設けられている。スイッチ２８は、置台２０の表面に露出しており、ユーザがオン、オフを切替えることが可能とされている。これにより、表示装置１０は、所定の動作を実行するか否かの切り替えを置台２０のスイッチ２８により行うことが可能になる。
【００６９】
また、図示した各装置の各構成要素は機能概念的なものであり、必ずしも物理的に図示の如く構成されていることを要しない。すなわち、各装置の分散・統合の具体的状態は図示のものに限られず、その全部または一部を、各種の負荷や使用状況などに応じて、任意の単位で機能的または物理的に分散・統合して構成することができる。例えば、表示装置１０の表示制御部４０および充電制御部４１の各処理部が適宜統合されてもよい。また、各処理部の処理が適宜複数の処理部の処理に分離されてもよい。さらに、各処理部にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００７０】
［表示制御プログラム］
また、上記の実施例で説明した各種の処理は、あらかじめ用意されたプログラムをパーソナルコンピュータやワークステーションなどのコンピュータシステムで実行することによって実現することもできる。そこで、以下では、上記の実施例と同様の機能を有するプログラムを実行するコンピュータシステムの一例を説明する。図１４は、表示制御プログラムを実行するコンピュータを示す図である。
【００７１】
図１４に示すように、コンピュータ３００は、ＣＰＵ（Central  Processing  Unit）３１０、ＨＤＤ（Hard  Disk  Drive）３２０、ＲＡＭ（Random  Access  Memory）３４０を有する。これら３００〜３４０の各部は、バス４００を介して接続される。
【００７２】
ＨＤＤ３２０には上記の表示装置１０の表示制御部４０および充電制御部４１と同様の機能を発揮する表示制御プログラム３２０ａが予め記憶される。なお、表示制御プログラム３２０ａについては、適宜分離しても良い。
【００７３】
また、ＨＤＤ３２０は、各種情報を記憶する。例えば、ＨＤＤ３２０は、ＯＳや表示制御を含む各種の制御に用いる各種データを記憶する。
【００７４】
そして、ＣＰＵ３１０が、表示制御プログラム３２０ａをＨＤＤ３２０から読み出して実行することで、実施例の各処理部と同様の動作を実行する。すなわち、表示制御プログラム３２０ａは、表示制御部４０および充電制御部４１と同様の動作を実行する。
【００７５】
なお、上記した表示制御プログラム３２０ａについては、必ずしも最初からＨＤＤ３２０に記憶させることを要しない。
【００７６】
例えば、コンピュータ３００に挿入されるフレキシブルディスク（ＦＤ）、ＣＤ−ＲＯＭ、ＤＶＤディスク、光磁気ディスク、ＩＣカードなどの「可搬用の物理媒体」にプログラムを記憶させておく。そして、コンピュータ３００がこれらからプログラムを読み出して実行するようにしてもよい。
【００７７】
さらには、公衆回線、インターネット、ＬＡＮ、ＷＡＮなどを介してコンピュータ３００に接続される「他のコンピュータ（またはサーバ）」などにプログラムを記憶させておく。そして、コンピュータ３００がこれらからプログラムを読み出して実行するようにしてもよい。
【符号の説明】
【００７８】
１０  表示装置
１１  表示領域
１２  表示面
１３、１３Ａ〜１３Ｄ  ボタン
２０  置台
２１  収容部
２２  導電物
２３  導電物
２４  配線
２５  導電物
２６  配線
２７  スイッチ
２８  スイッチ
３１  表示部
３２  タッチパネル
３４  記憶部
３５  制御部
４０  表示制御部
４１  充電制御部
６１、６２  マーク
８０  メニュー画面
８１  アイコン
８３  操作不能領域
８４  操作可能領域
【図１】
2015002478.tif 000003
【図２】
2015002478.tif 000004
【図３】
2015002478.tif 000005
【図４】
2015002478.tif 000006
【図５】
2015002478.tif 000007
【図６】
2015002478.tif 000008
【図７】
2015002478.tif 000009
【図８】
2015002478.tif 000010
【図９】
2015002478.tif 000011
【図１０】
2015002478.tif 000012
【図１１】
2015002478.tif 000013
【図１２】
2015002478.tif 000014
【図１３】
2015002478.tif 000015
【図１４】
2015002478.tif 000016